(57)【要約】【課題】光ガイドのような別部品を使用せずに、視認者と電気機器との配置関係にかかわらず表示灯の点灯状態の確認ができる電気機器の導光構造を提供する。【解決手段】本発明に係る電気機器の表示灯の導光構造は、携帯型非常ボタン１の筐体５内に設置されたＬＥＤ１９の光を筐体５の外面側に導光して筐体外部からＬＥＤ１９の点灯状態の確認を容易にできるようにするものであって、一端側がＬＥＤ１９に臨み、他端側が筐体５の外面に連続するように筐体５に形成された導光用筒状部９を備えてなり、導光用筒状部９の内壁９ａは、導光用筒状部９の内径が前記一端側から前記他端側に向って拡径するように傾斜していることを特徴とするものである。【選択図】  図１
2011181783.tif 000002
【特許請求の範囲】
【請求項１】
電気機器の筐体内に設置された表示灯の光を前記筐体の外面側に導光して前記筐体外部から表示灯の点灯状態の確認を容易にできるようにする電気機器の表示灯の導光構造であって、
一端側が前記表示灯に臨み、他端側が前記筐体の外面に連続するように前記筐体に形成された導光用筒状部を備えてなり、該導光用筒状部の内壁は、前記導光用筒状部の内径が前記一端側から前記他端側に向って拡径するように傾斜していることを特徴とする電気機器の表示灯の導光構造。
【請求項２】
前記表示灯はチップＬＥＤで構成され、かつ、前記導光用筒状部の内壁の傾斜角を２〜５°に設定したことを特徴とする請求項1記載の電気機器の表示灯の導光構造。
【請求項３】
前記表示灯は筐体内に設置された回路基板に実装され、該回路基板が前記筐体の所定位置に設置されることにより、前記表示灯が前記導光用筒状部の一端側に対して所定位置に配置されるように構成したことを特徴とする請求項１又は２に記載の電気機器の表示灯の導光構造。
【発明の詳細な説明】
【技術分野】
【０００１】
本発明は、電気機器の表示灯の導光構造に関する。
【背景技術】
【０００２】
電気機器、例えば火災感知器においては、火災感知器が作動しているかどうかを外部から視認するための動作確認灯が設けられている。
このような動作確認灯の一例として、チップ化した発光ダイオードを用いたものがある。この場合、外部からの視認を可能にするために、発光ダイオードの光を火災感知器の外部に導出する必要があり、そのための導光構造が設けられている。
特許文献１に示された導光構造は、プリント基板上に動作確認灯用のチップ化した発光ダイオードを実装し、前記発光ダイオードの配設位置に一端部を近接させ他端部をボディの開孔部に圧入した光ガイドを配設して、当該光ガイドにより前記発光ダイオードの光を火災感知器外へ導出するというものである。
【先行技術文献】
【特許文献】
【０００３】
【特許文献１】特開平１１−１８５１８１号公報
【発明の概要】
【発明が解決しようとする課題】
【０００４】
特許文献１に開示された導光構造は、火災感知器のように天井面に設置することを前提としたものであり、確認者は天井面を見上げるようにする。そのため、光を所定の方向、この場合は設置状態で真下の方向に導くという機能を備えているのみである。そのため、火災感知器のように確認者の上方であってある程度距離が離れているような場合には視認が可能であるが、確認者との位置関係がそれぞれ異なる場合には必ずしも視認が確実に行えるとは限らない。
また、特許文献１に記載のものは、光ガイドという別部品が必要であるため、部品点数が増え、コストが高くなるという問題もある。
【０００５】
本発明はかかる課題を解決するためになされたものであり、光ガイドのような別部品を必要とせず、視認者と電気機器との位置関係にかかわらず表示灯の点灯状態の確認ができる電気機器の表示灯の導光構造を提供することを目的としている。
【課題を解決するための手段】
【０００６】
（１）本発明に係る電気機器の表示灯の導光構造は、電気機器の筐体内に設置された表示灯の光を前記筐体の外面側に導光して前記筐体外部から表示灯の点灯状態の確認を容易にできるようにする電気機器の表示灯の導光構造であって、
一端側が前記表示灯に臨み、他端側が前記筐体の外面に連続するように前記筐体に形成された導光用筒状部を備えてなり、該導光用筒状部の内壁は、前記導光用筒状部の内径が前記一端側から前記他端側に向って拡径するように傾斜していることを特徴とするものである。
【０００７】
（２）また、上記（１）に記載のものにおいて、前記表示灯はチップＬＥＤで構成され、かつ、前記導光用筒状部の内壁の傾斜角を２〜５°に設定したことを特徴とするものである。
【０００８】
（３）また、上記（１）又は（２）に記載のものにおいて、前記表示灯は筐体内に設置された回路基板に実装され、該回路基板が前記筐体の所定位置に設置されることにより、前記表示灯が前記導光用筒状部の一端側に対して所定位置に配置されるように構成したことを特徴とするものである。
【発明の効果】
【０００９】
本発明においては、一端側が前記表示灯に臨み、他端側が前記筐体の外面に連続するように前記筐体に形成された導光用筒状部を備えてなり、該導光用筒状部の内壁は、前記導光用筒状部の内径が前記一端側から前記他端側に向って拡径するように傾斜しているので、表示灯が点灯すると、その光が導光用筒状部によって筐体外面側にガイドされると共に導光用筒状部の内壁を照らし、照らされた内壁が外部から見えやすいので、表示灯の点灯を容易にかつ確実に視認することができる。
【図面の簡単な説明】
【００１０】
【図１】本発明の一実施の形態に係る電気機器の表示灯の導光構造を説明するための図であり、図４の矢視Ａ―Ａ線に沿う断面図である。
【図２】図１に示した導光構造が用いられる携帯型非常ボタン及び携帯型キャンセルボタンの外観説明図である。
【図３】図２に示した携帯型非常ボタンの内部構造の説明図である。
【図４】図２の破線で囲んだＡ部を拡大して示す拡大図である。
【発明を実施するための形態】
【００１１】
表示灯が搭載される電気機器としては種々のものがあるが、本実施の形態ではホームセキュリティシステムにおいて用いられる無線式の携帯型非常ボタン１（図２（ａ）参照）、携帯型キャンセルボタン３（図２（ｂ）参照）を例に挙げて説明する。携帯型非常ボタン１とは、操作者が携帯し、非常事態を認知したときに非常ボタンを押すことで、家屋に設置されている住宅情報盤を介してセキュリティセンターに非常信号を通報するための非常ボタン装置である。携帯型キャンセルボタン３とは、非常通報をキャンセルする際に押すボタン装置である。
【００１２】
携帯型非常ボタン１は、図２に示すように、正面形状が矩形状の直方体形状の筐体５を備え、その正面にシーソー型のスイッチ７が設けられ、その下方にスイッチ７のＯＮ状態を確認するための導光用筒状部９が設けられている。
一方、携帯型キャンセルボタン３は、携帯型非常ボタン１のシーソー型のスイッチ７の代わりに、メンブレンスイッチ８が設けられている以外は、携帯型非常ボタン１と同様な構造を有するので、以下の説明は携帯型非常ボタン１を例に挙げて説明する。
【００１３】
携帯型非常ボタン１の内部には、図３の内部構造図に示すように、下面側に回路基板１１が設置され、回路基板１１上にアンテナ１３や、シーソー型のスイッチ７によって押下されるタクトスイッチ１５が設けられている。また、シーソー型のスイッチ７を押下状態で保持するスイッチロック機構１７が設けられ、さらに、図１に示すように、タクトスイッチ１５が押されることで点灯するチップ型のＬＥＤ１９が実装されている。
【００１４】
ＬＥＤ１９は、図１に示すように、導光用筒状部９の一端側に臨むように配置されている。この配置は、ＬＥＤ１９が搭載された回路基板１１を筐体５に対して所定位置に設置することで、ＬＥＤ１９が導光用筒状部９の一端側に対して所定位置に配置されるようにしている。ＬＥＤ１９が配置される所定位置とは、例えばＬＥＤ１９の発光部の中心が導光用筒状部９の中心に一致するような位置である。
【００１５】
導光用筒状部９の他端側は、筐体５の外面に連続するようになっている。導光用筒状部９の内壁９ａは、図１に示すように、導光用筒状部９の内径が内端側から外端側に向って拡径しており、導光用筒状部９の内壁９ａを断面視したときにはテーパ状になっている。本実施の形態におけるテーパの傾斜角度θは、θ＝２°に設定されている。２°未満であると、外部から内壁９ａが見えにくく、特に横あるいは斜め方向からの視認性が悪くなるからである。なお、テーパの傾斜角度の最大値は、図１において白線で示したようにθ＝５°にするのが好ましい。つまり、テーパの傾斜角度の好ましい範囲は、２°≦θ≦５°である。θを５°以下にしたのは、θが５°を超えても更なる効果が期待できず、開口部が大きくなるため、美感上で好ましくないからである。
【００１６】
上記のように構成された本実施の形態の動作について説明する。
携帯型非常ボタン１のスイッチ７が押下されると、タクトスイッチ１５が押され、それによって非常信号がセキュリティセンターに通報される。そのとき、ＬＥＤ１９が点灯し、その光が導光用筒状部９によって筐体５の外方に導光されると共に導光用筒状部９の内壁９ａが照らされる。導光用筒状部９は筐体５の外面に近くなるにしたがって拡径しているので、内壁９ａが照らされている状態が視認されやすく、チップ型のＬＥＤ１９が点灯していることが容易に判別できる。しかも、導光用筒状部９の内壁９ａが拡径しているので、横あるいは斜め方向からでも見易く、ほぼ真横からでも見える。
よって、発光部が小さいチップ型のＬＥＤを用いたとしても、発光部が大きい砲弾型のＬＥＤと同程度の視認性を得ることができる。なお、ＬＥＤ１９は砲弾型を用いてもよい。
【００１７】
以上のように、本実施の形態の導光構造によれば、チップ型のＬＥＤ１９を回路基板１１に設置して、回路基板１１から筐体表面まで距離があるような場合であっても、ＬＥＤ１９の点灯を筐体の外面側に確実に導光できると共に、横あるいは斜めから見た場合でも点灯を確実に視認できる。
また、ＬＥＤ１９の中心が導光用筒状部９の中心に一致するように設置されているので、ＬＥＤ１９を点灯させたときに、導光用筒状部９の内壁９ａが偏りなく照らされておれば、ＬＥＤ１９が導光用筒状部９に対して所定位置にあることが分かり、回路基板１１が筐体５に対して正しい所定位置に設置されていることを確認できる。つまり、本実施の形態の導光構造は、回路基板１１の設置位置が適切であるか否かの確認手段としても機能する。
【００１８】
チップ型のＬＥＤ１９は、例えば半値角θが大きいものを使用すると導光用筒状部９が多く照射されるとともに反射光も増加するために、視認性が格段によくなる。つまり、半値角θが大きいＬＥＤを用いれば、導光用筒状部９を十分明るくすることができ、このことは換言すれば、半値角の小さいものと同じ明るさを得るための印加電流を小さくすることができることを意味しており、半値角θが大きいＬＥＤを用いることで電池の寿命を延ばすことができる。
また、半値角θが大きいものは、レンズなどの集光体がないため、半値角θが小さいものよい低コスト化ができる。
このように、チップ型のＬＥＤ１９として、半値角θが大きいものを使用することが、視認性、電池の寿命延長及び低コスト化の面から好ましい。
なお、半値角θの範囲としては、４５°以上が好ましい。
【００１９】
上記の実施の形態では、電気機器の例としてホームセキュリティシステムで使用される携帯型非常ボタン１や携帯型キャンセルボタン３を例に挙げたが、本発明の導光構造が利用できるのは、これに限られず、主に壁面に設置される固定型の非常ボタンや、火災受信機や、火災警報器の無線信号を受信すると移報する無線式中継器など表示灯が設けられる種々の電気機器に利用することができる。
【符号の説明】
【００２０】
１  携帯型非常ボタン
３  携帯型キャンセルボタン
５  筐体
７  スイッチ
８  メンブレンスイッチ
９  導光用筒状部
９ａ  内壁
１１  回路基板
１３  アンテナ
１５  タクトスイッチ
１７  スイッチロック機構
１９  ＬＥＤ
【図２】
2011181783.tif 000003
【図３】
2011181783.tif 000004
【図１】
2011181783.tif 000005
【図４】
2011181783.tif 000006